(57)【要約】【課題】市販されているＩＥＣ規格の多様な形状、寸法のＡＣインレットに適合でき後付が可能なＡＣコード脱落防止具を実現するための装着具を提供する。【解決手段】挿し込み型ＡＣインレットとネジ止め型ＡＣインレットに共用できる１対の独立した板状装着子３０を一対のネジ棒４０で連結して多様なＡＣインレットに実装可能に寸法を調整可能にし、挿し込み片３４により自在にＡＣインレットに装着する。【選択図】図２
2011071077.tif 000002
【特許請求の範囲】
【請求項１】
本体装置凹部に実装されたＡＣインレットに挿し込まれたＡＣコードが前記ＡＣインレットから抜けないように固定するＡＣコード脱落防止具の構成要素でありＡＣコード脱落防止具をＡＣインレットに固定するための装着具において、
一対の独立した板状装着子と一対の独立した雄ネジ棒により構成する四辺形に形成されたＡＣコード脱落防止具用の装着具。
【請求項２】
前記装着具は、
装着具を構成する板状装着子は略長方形または近似の多角形または長円形であっって１つ以上の長辺を持ち、その長辺縁部から垂直に立ち上がった挿し込み片を備え、長辺に対向する部分付近の長手方向中央部付近にＡＣコード脱落防止具を構成する場合に固定具を係止するための孔を備え、板状装着子の長手方向の一端に雄ネジ棒を通す丸孔を備え、他端に対向した板状装着子の一端の丸孔を通った雄ネジ棒がねじ込まれるために待ち受ける板状装着子面に垂直な回転軸を持つ雌ネジ部を一体化して備えた板状装着子一対と雄ネジ棒一対により構成されたＡＣコード脱落防止具用の装着具。
【請求項３】
前記装着具は、
一対の板状装着子を一対の雄ネジ棒で四辺形枠状に形成し、雄ネジ棒を回転することにより板状装着子の間隔を可変可能な、様々に異なる形状、寸法のＡＣインレットに装着できるＡＣコード脱落防止具用の装着具。
【請求項４】
前記装着具は、
一対の板状装着子の夫々の両端に丸孔を持ち、板状装着子面に垂直な回転軸を持つ雌ネジ部を設けた柱状部材をその丸孔のいずれかを選択して固定できる板状装着子と雄ネジ棒により構成された請求項２ならびに請求項３のＡＣコード脱落防止具用の装着具。
【発明の詳細な説明】
【技術分野】
【０００１】  本発明は、例えば通信機器やパーソナルコンピュータに挿し込まれたＡＣコードのプラグがＡＣインレットから不用意に脱落することを防止するＡＣコード脱落防止具の一構成要素である装着具に関するものである。
【技術的背景】
【０００２】  通信機やコンピュータに用いられるＡＣインレットはＩＥＣで統一された規格が適用され、同様に規格が統一されたＡＣコードのプラグ部分が刺し込まれるがＡＣコードの脱落を積極的に防止する機構は備わっていないためＡＣコードの脱落事故の可能性があり多くの脱落防止具が考案されてきた。
【０００３】  ＡＣコード脱落具は本体装置が製造メーカから出荷された時点では装備されていないことが多く最終ユーザに引き渡される過程で或いは引き渡された後で装着を要求されることが多いが従来の前記脱落防止具においてはＡＣインレットの装着にＡＣインレット自体或いはこれを固定しているネジを本体装置から一旦取り外すか或いは新たに装着用のネジ孔の追加などの加工を本体装置に施す必要があり、ＡＣコードの脱落防止具の装着は本体装置の保証条件を損なう恐れがあった。
【０００４】  また更に、ＩＥＣ規格におけるＡＣインレットはＡＣコードのプラグが差し込まれる凹部は形状、寸法が明確に規定されているがその周縁部の形状、寸法は統一されていないために様々な形状、サイズのＡＣインレットが存在し、それぞれに適合するＡＣコードの脱落防止具の装着部が必要なため本体装置のＡＣインレットに適合するＡＣコードの脱落防止具の調達に不安や困難があった。
【０００５】  上記の理由は、ＡＣコードの脱落防止具を利用しにくい状況を存在させた。またＡＣコードの脱落防止具を製造する場合は各種寸法用に個別の装着具を用意しなければならず製造コスト面に問題があった。
【先行技術文献】
【特許文献】
【０００６】
【特許文献１】特開平４−１６２９６８号公報  ［特願２００９−２０９３９５］
【発明の概要】
【発明が解決しようとする課題】
【０００７】  ＡＣコード脱落防止具の装着を要求される電源ユニットなどの本体装置は製造メーカから出荷された後に流通段階や最終使用者においてＡＣコード脱落防止具の装着を要求されることが多いが、従来のネジ止め型ＡＣインレット用ＡＣコード脱落防止具においては、ＡＣコード脱落防止具の装着に本体装置への新たな穴あけ加工が必要であるかＡＣインレットを本体装置に固定している固定ネジあるいはＡＣインレット自体を本体装置から取り外す本体装置筐体部の分解が必要であり実質的には流通段階や最終使用者における後付けが困難であったり、【０００８】  ＡＣインレットの異なる形状（例えばネジ止め固定型と挿し込み固定型ＡＣインレット）、寸法ごとにＡＣインレットの装着部をＡＣインレットに合わせて製造または調達する必要があり、適合するＡＣコード脱落防止具を特定しにくく調達が容易でない不都合があった。【０００９】  本発明のＡＣコード脱落防止具用装着具は異なる形状としてネジ止め型及び非ネジ止め型（挿し込み型）ＡＣインレットに共用でき、ＡＣインレットの異なる寸法に対する調節機能を備え、装着時に本体装置への新たな穴あけや本体装置の分解が必要なく後付けが容易なＡＣコード脱落防止具用の装着具を提供することを目的とする。
【課題を解決するための手段】
【００１０】  上記目的を達成するための本発明のＡＣコード脱落防止具用装着具は、本体装置に実装されたＡＣインレットの凹部に挿しこまれたＡＣコードのプラグ部がＡＣインレットから脱落しないように固定するＡＣコード脱落防止具用の構成要素であり前記脱落防止具を前記インレットにこてうするための装着具において、
（１）装着具は板状装着素子一対と雄ネジ棒一対で構成され、
（２）板状装着子は略長方形または長方形近似の多角形または長円形で１つ以上の長辺を有し、長手方向一端に雄ネジ棒を通す丸孔が開けられ、他端は板状装着素子面に対しネジ回転軸が垂直な雌ネジ部が設けられている。
（３）また略長方形または長方形近似の多角形または長円形の板状装着子は長辺の縁部から板状装着子面に対し垂直に立ち上がった挿し込み片が設けられ、この対向辺付近の長手方向中央部付近には本装着具を用いてＡＣコード脱落防止具を構成する際に組み合わされるＡＣコードのプラグ部を押さえる固定部を係止するための孔が設けられていることを特徴とするものである。【００１１】  ここで、前記板状装着子は、
（６）長辺の長手方向一端に設けられ一体化された雌ネジ部が雌ネジ部を持つ柱部材を雄前記雄ネジ棒以外のネジで固定して一体にしたものであっても良い。【００１２】  ここで、前記板状装着素子は、
（４）板状装着子の各辺は自身の強度強化のために、挿し込み片と同様に、板状装着子面に対して垂直に折り曲げた強化片を設けてもよい。【００１３】  また、前記の雄ネジ棒は、
（５）市販されている雄ネジ棒を用いても良い。
【発明の効果】
【００１４】  本発明のＡＣコード脱落防止具用装着具では、一対の板状装着子が雄ネジ棒で四辺形に連結されてＡＣインレットを捕捉することができ、一対の板状装着子の間隔が前記雄ネジ棒を回転することで調整できるため様々な形状、寸法のＡＣインレットに装着できるので、ＡＣコード脱落防止具の利用を希望する者に調達時に安心感を与え、ＡＣコード脱落防止具を利用し易い状況を提供できる。【００１５】  ここで更に、
一対の雄ネジ棒は予め一対の板状装着子と共に長方形枠を形成してＡＣインレットに装着できる他に一対の板状装着子を個々が独立してＡＣインレットに装着し、その後に一対の雄ネジ棒を用いて長方形枠に組み上げることもできるので、一対の板状装着子が個々に独立した状態でＡＣインレットへ装着可能にすることでＡＣインレットと本体装置の筐体表面間に挿し込み片を挿入する際に要する作業用空間は予め四辺形枠を形成した形状の装着具の場合の同作業用空間に比較して大幅に低減され、ＡＣインレット周辺空間が限られる本体装置にも容易に装着できる効果がある。【００１６】  更にまた、
一対の板状装着子は同一形状であり、雄ネジ棒は市販品を利用できるので該当製品の製造が容易で単価を下げることができ、また広範囲の形状、寸法のＡＣインレットに共用できるので量産効果が望めるので更に該当製品の製品価格を下げることができる。
【図面の簡単な説明】
【００１７】
【図１】本体装置に実装前の挿し込み型ＡＣインレットと本体装置の関係を示す斜視図である。
【図２】（Ａ）は本発明の装着具１０を挿し込み型ＡＣインレット２０に装着した斜視図であり、（Ｂ）は本発明の装着具１０を挿し込み型ＡＣインレット２０に装着する前の装着具１０を板状装着子３０と雄ネジ棒４０に分解した斜視図である。
【図３】本発明の装着具１０を用いたＡＣコード脱落防止具を挿し込み型ＡＣインレットに装着した一形態を示す斜視図である。
【図４】（Ａ）から（Ｃ）は図３以外の使用実施形態を示す斜視図である。
【図５】本体装置に実装前のネジ止め型ＡＣインレットと本体装置の関係を示す斜視図である。
【図６】（Ａ）は本発明の装着具１０をネジ止め型ＡＣインレット２０に装着した斜視図であり、（Ｂ）は本発明の装着具１０をネジ止め型ＡＣインレット２０に装着する前の装着具１０を板状装着子３０と雄ネジ棒４０に分解した斜視図である。
【図７】本発明の装着具１０を用いたＡＣコード脱落防止具をネジ止め型ＡＣインレットに装着した一形態を示す斜視図である。
【図８】（Ａ）は本発明の装着具１０の異なる実施例の斜視図であり、（Ｂ）は本発明の異なる実施低の装着具１０をＡＣインレット２０に装着する前の装着具１０を板状装着子３０と雄ねじ棒４０に分解した斜視図である。
【発明を実施するための形態】
【００１８】  本発明はＡＣコードが接続されたプラグを、電子機器の本体凹部に組み込まれたＡＣインレットに差し込んで使用するＡＣコード脱落防止具の、ＡＣインレットへの装着具において実現された。
【実施例１】
【００１９】  図１から図３を参照して、ＡＣインレット形状が挿し込み型の場合の本発明の実施例１を説明する。【００２０】  はじめに挿し込み型ＡＣインレットの本体装置とのかかわりについて簡単に説明する。図１は挿し込み型ＡＣインレットが本体装置１２のＡＣインレット装着用凹部１４に挿入される前の状態を示している。ＡＣインレット２０は本体装置１２の凹部１４に挿し込まれると、ＡＣインレットに装備された板状バネの戻り止め２２が前記凹部１４を通った後で凹部寸法以上に広がるため、挿し込み型ＡＣインレット２０は本体装置１２の実装面１２ａに固定される。ＡＣインレット２０のプラグ挿し込み用凹部の周縁部２０ｂと本体装置１２の筐体表面１２ａ間にはごく僅かな隙間があり、この隙間に薄板などを挿し込むと前記周縁部２０ｂが僅かに前記実装面１２ａより離れるが板状バネの戻り止め２２の反発力で差し込まれた薄板は挿し込み型ＡＣインレット２０と本体装置１２の間に捕捉される。【００２１】  本発明の装着具１０は１対の板状装着子３０と一対の雄ネジ棒４０で構成され、一対の板状装着子３０は挿し込み片を向かい合わせた状態でＡＣインレットの２長辺に夫々当てた後で雄ネジ棒４０で連結し雄ネジ棒を回転して一対の板状装着子３０の間隔を調節してＡＣインレット２０を挟み固定する。このとき板状装着子３０の一辺（図では下側の辺）に設けられた挿し込み片３４を挿し込み型ＡＣインレット２０と本体装置筐体表面１２ａ間の隙間に挿入する。隙間に挿入された挿し込み片３４は前述の薄板のように挿し込み型ＡＣインレット２０と本体装置１２間に捕捉され、この状態の板状装着子をを１対の雄ネジ棒により連結し、更に雄ネジ棒を回転して板状装着子をＡＣインレットに押し当てて固定することで板状装着子と雄ネジ棒で四辺形の枠状に形成した装着具１０は確実にＡＣインレット２０に固定できる。【００２２】  また、本発明の装着具１０を構成する一対の板状装着子３０と一対の雄ネジ棒４０を予め組み合わせてほぼＡＣインレットの寸法の四辺形の枠状に形成しておいてＡＣインレット２０の短辺側から前記装着子３０の挿し込み片３４をＡＣインレット２０と本体装置１２の実装面１２ａの隙間に挿し込んで図２（Ａ）の状態にした後、一対の雄ネジ棒４０を回転して前記板状装着子３０の間隔を調節し、ＡＣインレット２０を挟んで固定することでも装着具１０は確実にＡＣインレット２０に固定できる。【００２３】  また、本発明の装着具１０を構成する一対の板状装着子３０を１枚づつ個別にＡＣインレットの短辺側から挿し込み、その後雄ネジ棒で連結して図２（Ａ）の状態にした後、雄ネジ棒４０を回転して前記板状装着子３０でＡＣインレット２０を挟んで固定してすることでも装着具１０は確実にＡＣインレット２０に固定できる。この場合、ＡＣインレット２０の周辺の空き空間の状況に応じて板状装着子３０をＡＣインレットの同じ短辺側からも、或いは異なる短辺側から挿し込むこともできるので実装時の作業空間に対する自由度が増す。【００２４】  なお、板状装着子３０の挿し込み辺３４が構成されていない側（図では上側の辺）近くの長手方向中央付近には、本発明の装着具１０を用いてＡＣコード脱落防止具を構成する場合に、ＡＣコードのプラグ部を装着具に固定具６０を仮止するための仕掛として孔３１ａ、３２ａがあり、図３のようにＡＣコード５０のプラグ部の肩５２に掛けた固定具６０を結束紐７０を通して本発明の装着具３０の方向に引き寄せてＡＣコードがＡＣインレットから脱落することを防ぐことができるが、固定具には様々なタイプがあるので、固定具の装着具への係止の方法も様々なタイプが考えられる。ここで板状装着子の固定具を係止する仕掛けについて説明する。【００２５】  本発明の装着具１０をＡＣコード脱落防止具用として用いる際、固定具を装着具１０に組み合わせる必要があり、そのための仕掛が例えば孔３１ａ、３２ａである。図１から図３は合成樹脂素材などによる市販の結束紐７０で固定具を装着具６０に係止した仕掛けの実施例であり、これを装着具に固定具を係止する仕掛けの実施例の１とする。この場合、結束紐を通す装着具に開けた孔の形状は四角以外でも同じ機能が得られる。【００２６】  図４（Ａ）から図４（Ｃ）は装着具１０に固定具を係止する仕掛け実施例の２から装着具に固定具を係止する仕掛け実施例の４を示している。【００２７】  図４（Ａ）を参照して装着具１０に固定具６０を係止する仕掛けの実施例の２を説明する。固定具６０の両端の脚部６２の先端が外側に曲げられていて装着具１０の板状装着子３０に係止される場合の実施例である。板状装着子３０には前記脚部６２の外側に曲げられた先端を通すための好ましくは丸孔３１ａと３２ａが仕掛として板状装着子面に設けられた実施例である。丸孔３２ａはＡＣコードのプラグ部５３の影にあり図４（ａ）には描かれていない。【００２８】  図４（Ｂ）を参照して装着具に固定具を係止する仕掛けの実施例の３を説明する。装着具１０に固定具６０を係止する実施例の２では固定具６０の脚部先端が板状装着子３０から外側にはみ出ていて装着子１０周辺にある他の実装部材と空間競合を生じる可能性がある。図４（Ｂ）では図４（Ａ）の固定具具１０の係止に供する仕掛部分３１ｄを組立状態の内側に凸にしたもので、前記固定具６０の脚部先端がほぼ板状装着子の面位置にできるためＡＣインレットの周辺実装部材と固定具６０の先端部が空間競合する心配がない好ましい実施例である。【００２９】    図４（Ｃ）を参照して装着具に固定具を係止する仕掛けの実施例の４を説明する。図４（Ｃ）の板状装着子３０に結束紐用補助具３５を装着して結束紐７０により固定具６０を装着具１０に係止可能した仕掛けの実施例である。結束紐用補助具３５は板状装着子３０にネジ止めして固定する。【００３０】  なお、上記の装着具に固定具を係止する実施例の１から４は後述する本発明の実施例２ならびに本発明の実施例３においても同様に実施できるものである。
【実施例２】
【００３１】  図５から図７を参照して、ＡＣインレットがネジ止め型である場合の本発明の実施例２を説明する。【００３２】  はじめにＡＣインレットが挿し込み型でなくネジ止め式の場合のＡＣインレットと本体装置のかかわりについて説明する。図５はネジ止め型ＡＣインレットが本体装置１２のＡＣインレット装着用凹部１４に挿入される前の状態を示している。ＡＣインレット２０には（図１の挿し込み型ＡＣインレットの）板状バネの戻り止めは無く、代わりに図５の通りＡＣインレット２０のＡＣプラグ挿し込み用凹部の周縁部２０ｂに続く両脇にネジ止め部２０ｃが設けられている。ＡＣインレット２０はネジとナット（図５では省略）を用いて本体装置１２の筐体表面１２ａにネジ止め固定される。ナットが省略され代わりに前記筐体表面１２ａにタップ孔が設けられることもある。ここで、ＡＣインレット２０は固定ネジを緩めることで前記筐体表面１２ａとの間に僅かな隙間を生じる。この隙間に薄板などを挿し込み、その後固定ネジを元通りに締め直すと薄板はＡＣインレット２０と本体装置筐体表面部１２ａの間に捕捉される。【００３３】  本発明の装着具１０は１対の板状装着子３０と一対の雄ネジ棒４０で構成される。先ずＡＣインレット２０を本体装置に固定しているネジを緩めてＡＣインレット２０と本体装置１２の筐体表面１２ａの間に挿し込み片３４の板厚分の隙間を設けておくがここでネジを外す必要はない。次に一対の板状装着子３０は挿し込み片を向かい合わせた状態でＡＣインレット２０の２長辺に夫々当てた後で一対の雄ネジ棒４０で連結し一対の板状装着子３０の間隔を調整してＡＣインレット２０を挟み固定する。このとき板状装着子３０の一辺（図では下側の辺）に設けられた挿し込み片３４をネジ止め型ＡＣインレット２０と本体装置筐体表面１２ａ間の隙間に挿入する。隙間に挿入された挿し込み片３４は前述の薄板のように挿し込み型ＡＣインレット２０と本体装置１２間に捕捉され、この状態の板状装着子をを１対の雄ネジ棒により連結し、更に雄ネジ棒を回転して板状装着子をＡＣインレットに押し当てて固定することで板状装着子と雄ネジ棒で四辺形の枠状に形成した装着具１０は確実にＡＣインレット２０に固定できる。【００３４】  また、本発明の装着具１０を構成する板状装着子３０と雄ネジ棒４０を予め組み合わせてほぼＡＣインレットの寸法の四辺形の枠状に形成しておいてＡＣインレット２０のネジ止め部側２０ｃから前記装着子３０の挿し込み片３４をＡＣインレット２０と本体装置１２の実装面１２ａの隙間に挿し込んで図６（Ａ）の状態にした後、雄ネジ棒４０を回転してお一対の前記板状装着子３０の間隔を調節してでＡＣインレット２０を挟んで固することでも装着具１０は確実にＡＣインレット２０に固定できる。この場合予めＡＣインレット２０の固定ネジは緩めてＡＣインレット２０と本体装置１２の筐体表面間に挿し込み片の厚み分の隙間を設けておき、装着具１０をＡＣインレット２０に固定した後には前記固定ネジは元通り締め直す。【００３５】  また、本発明の装着具１０を構成する一対の板状装着子３０の２枚を１枚づつ個別にＡＣインレットのネジ止め部２０ｃ側から挿し込み、その後雄ネジ棒で連結して図６��Ａ）の状態にした後、雄ネジ棒４０を回転して前記板状装着子３０でＡＣインレット２０を挟んで固定してすることでも装着具１０は確実にＡＣインレット２０に固定できる。この場合予めＡＣインレット２０の固定ネジは緩めてＡＣインレット２０と本体装置１２の筐体表面間に挿し込み片の厚み分の隙間を設けておき、装着具１０をＡＣインレット２０に固定した後には前記固定ネジは元通り締め直す。なお場合、ＡＣインレット２０の周辺の空き空間の状況に応じて板状装着子３０をＡＣインレットの同じ短辺側からも、或いは異なる短辺側から挿し込むこともできるので実装時の作業空間に対する自由度が増す。【００３６】  なお、板状装着子３０の挿し込み辺３４が構成されていない側（図では上側の辺）近くの長手方向中央付近には、本発明の装着具を用いてＡＣコード脱落防止具を構成する場合に、ＡＣコードのプラグ部を装着具に固定具６０を仮止するための仕掛として孔３１ａ、３２ａがあり、図７のようにＡＣコード５０のプラグ部の肩５２に掛けた固定具６０を結束紐７０を通して本発明の装着具３０の方向に引き寄せてＡＣコードがインレットから脱落することを防ぐことができる。
【実施例３】
【００３７】  図８（Ａ）と図８（Ｂ）を参照して、本発明の実施例３を説明する。図８（Ａ）と図８（Ｂ）では挿し込み型ＡＣインレットを用いて実施例を説明しているがネジ止め型ＡＣインレットに対しても全く同様に適用することができる。【００３８】    本発明の装着具１０は１対の板状装着子３０と一対の雄ネジ棒４０で構成され、一対の板状装着子３０の各々は長手方向の両端に夫々丸穴３１ｂ、３１Ｃ、３２ｂ、３２Ｃが設けられ、その一方には雌ネジを設けた一対の柱状部材３３が板状装着子に設けられた２つの丸穴（例えば一端の３１ｂ、３２ｂ）を通して雄ネジ４５により雌ネジの回転軸が板状装着子３０に垂直に固定される。板状装着子３０の孔（例えば他端の３１ｃ、３２ｃ）は夫々雄ネジ棒４０を通すために用意され、装着具１０をＡＣインレット２０に装着時に対抗する一対の板状装着子３０を連結して固定される。【００３９】  ここで雌ネジを設けた一対の柱状部材３３は板状装着子の一方の両端（例えば３１ｂ、３１ｃ）に固定し、もう一方の板状装着子両端の丸孔（例えば３２ｂ、３２ｃ）を通した雄ネジ棒を待ち受けて四辺形の枠を形成してもよい。【００４０】  ここで、この一対の板状装着子３０と一対の雄ネジ棒４０によるＡＣインレット２０への装着方法は前記本発明の実施例１ならびに前記本発明の実施例２の装着方法と全く同じなのでここでは重複する説明を省略します。【００４１】  ここで、本発明の実施例３では雌ネジを設けた一対の柱状部材３３を各々の板状装着具３０の長手方向両端に設けた丸穴３１ｂ、３２ｂ或いは３１ｃ、３２ｃのいずれにも固定することができるので、装着具周囲の作業用空間の状況により一対の板状装着子を対向させたとき雌ネジを設けた柱状部材と丸孔が対向する組合せを条件として適宜選択した丸孔に前記柱状部材３３を固定することができ、装着具をＡＣインレットに装着する際の自由度を向上させることが可能である。
が実現できる。
【符号の説明】
【００４２】１０  装着具
１２  ＡＣインレットが実装される電子機器などの本体装置
１２ａ  本体装置の筐体表面
１４  ＡＣインレットが実装される凹部
２０  ＡＣインレット
２０ｂ  ＡＣインレットのＡＣコードのプラグが差し込まれる凹部の周縁部
２０ｃ  ネジ止め型ＡＣインレットのネジ止め片
２２  挿し込み型ＡＣインレットの板状バネの戻り止め
３０  板状装着子
３１、３２  板状装着子面
３１ａ、３２ａ  固定具を係止するための仕掛けとしての孔
３１ｂ、３１ｃ、３２ｂ、３２ｃ  雄ネジ棒を通す丸孔
３１ｄ  固定具を係止するための仕掛の四辺形の内側凸部
３４  挿し込み片
３５  固定具を係止するための補助具
３３  雌ネジを設けた柱状部材
３５  ネジ止め型ＡＣインレットのネジ止め部
４０  雄ネジ棒
４５  雄ネジ
５０  ＡＣコード
５２  ＡＣコードのプラグの肩部
５３  ＡＣコードのプラグ部
６０  ＡＣコード脱落防止具の構成要素の固定具
７０  ＡＣコード脱落防止具の構成要素の固定具を装着国に係止する結束紐
【図１】
2011071077.tif 000003
【図２】
2011071077.tif 000004
【図３】
2011071077.tif 000005
【図４】
2011071077.tif 000006
【図５】
2011071077.tif 000007
【図６】
2011071077.tif 000008
【図７】
2011071077.tif 000009
【図８】
2011071077.tif 000010